(57)【要約】【課題】      有効な弾力性回復ができて軟質弾力性プラスチック曲がり管を利用して硬質弾力性プラスチック螺旋体の破れを防止し、または過度の曲がりによる位置ずれを防止し、相互に振動吸収補助の効果のある、プラスチック成型体の振動避け構造を提供する。【解決手段】  本発明のプラスチック成型体の振動避け構造は、硬質の剛性あり弾力性プラスチック螺旋体が軟質弾力性プラスチック螺旋曲がり管と繋がってなり、弾力性プラスチック螺旋体の圧力抵抗剛性、逆向き弾力性及びその弾力性プラスチック螺旋曲がり管の振動吸収効果、緩衝機能との相互協力によって固定して一体となって各種の特性を得る。【選択図】    図２
2004169909.tif 000002
【特許請求の範囲】
【請求項１】
一種のプラスチック成型体の振動避け構造であって、
硬度の高い剛性弾力性プラスチック成型体の螺旋バネであり、該螺旋バネ間に緩衝距離を設けた、弾力性プラスチック螺旋体と、
軟質の弾力性プラスチック成型体の管状体であり、曲げられて弾力性プラスチック螺旋体に対応する多層円弧部を有し、各円弧部は螺旋状に繋がり、弾力性プラスチック螺旋体のサイドに固定して連結され、円弧部が弾力性プラスチック螺旋体のサイドに対応して覆われる他に、弾力性プラスチック螺旋体の緩衝距離内で曲がったり伸びたりしながらストップする、弾力性プラスチック螺旋曲がり管と、より構成することを特徴とする、
プラスチック成型体の振動避け構造。
【請求項２】
請求項１に記載のプラスチック成型体の振動避け構造において、前記弾力性プラスチック螺旋体及び弾力性プラスチック螺旋曲がり管の上端面、下端面は、平面に形成することを特徴とする、プラスチック成型体の振動避け構造。
【請求項３】
請求項１に記載のプラスチック成型体の振動避け構造において、前記弾力性プラスチック螺旋曲がり管は、弾力性プラスチック螺旋体の内側に固定的に繋げて配置することを特徴とする、プラスチック成型体の振動避け構造。
【請求項４】
請求項１に記載のプラスチック成型体の振動避け構造において、前記弾力性プラスチック螺旋曲がり管は、弾力性プラスチック螺旋体の外側に固定的に繋げて配置することを特徴とする、プラスチック成型体の振動避け構造。
【請求項５】
請求項１に記載のプラスチック成型体の振動避け構造において、前記弾力性プラスチック螺旋体と弾力性プラスチック螺旋曲がり管の上端面、下端面は、支えられる部材に合わせて相対曲面に形成することを特徴とする、プラスチック成型体の振動避け構造。
【発明の詳細な説明】
【技術分野】
【０００１】
本発明は、一種のプラスチック成型体の振動避け構造に関するものであって、具体的にいえば、一種の硬質の剛性あり弾力性プラスチック螺旋体、軟質の弾力性プラスチック螺旋曲がり管等の部材によって、一体で互いに補助し合って振動吸収、緩衝して弾力性を回復させるという独特な設計である。それにより平衡した振動避け効果を得るものである。
【０００２】
現在、技術レベルの向上に伴い、各種の製品部材の生産技術も益々進歩して、各式の振動避け構造こそ現代における各種の工業製品、生活用品に欠かすことのできない重要部材となっている。現在、一般に見られる振動避け構造は十分に多様化しているが、使用者の振動避け効果に対する要求も益々高くなったので如何に効果の優れた振動避け構造を開発するかがメーカーにとつて最も重視される研究開発となった。上記問題も本発明の発明者が研究開発する動機となった。
【背景技術】
【０００３】
従来の振動避け構造の適用範囲は非常に広く、例えば機械構造、靴、生活用品等に、常に振動避け構造の運用が見られる。例えば下記する運動靴の底の振動避け構造（図１参照）であって、これが運動靴の底（１０）の内部にエア室（１１）を設けて、そのエア室（１１）内に多数のゴム棒（１２）を設けて、そのエア室（１１）の気体圧力が多数のゴム棒（１２）と協力し合って圧力平衡及び振動避けという機能を発揮する。この従来の振動避け構造は、既に運動靴産業に長く使われており、現在の市場における運動靴の振動避け構造の主流である。
【発明の開示】
【発明が解決しようとする課題】
【０００４】
しかし、この振動避け構造は実用上まだ不足のところがあり、充分な効果を得ることができない。その原因は、以下の通りである。
【０００５】
その１、そのエア室（１１）の気体と多数のゴム棒（１２）の回復応力が小さく、変形する空間が制限されることにより、従来の振動避け構造が圧力を受けた後の回復弾力性が劣るので、この運動靴は圧力耐え効果は良いが、より強い回復弾力性を発揮することができない。
【０００６】
その２、そのエア室（１１）内の気体が圧力を受けた後に、圧力を受けていない場所に集中する（エア室（１１）全体の圧力耐え抵抗力は、空間壁全体に平均してかかる）ので、そのエア室（１１）内の気体平衡抵抗力は局所の圧力の大きいところに集中して加えないので、ゴム棒（１２）が若干大きな圧力を受けた時に、そのエア室（１１）の気体は有限の抵抗力のみ提供できるから強大な圧力を受けるゴム棒（１２）が有効的な保護を失ってしまう。これはゴム棒（１２）の過度変形によって材料に疲労が生じ、さらにゴム棒（１２）の材料が破れ、変形を来たし、または過度の曲がりによる位置ずれを来たす恐れがある。
【０００７】
その３、エア室（１１）の密封気体は、従来の振動避け構造内の主たる応力平衡構造であるため、そのエア室（１１）が損害して密封効果を失った場合、そのエア室（１１）の応力平衡効果は完全に失われる。絶えずに擦れることにより損害におよぶ恐れのある靴の底（１０）にとって、エア室（１１）の損壊は必ず発生する問題であり、この従来の振動避け構造は耐用ではない。
【課題を解決するための手段】
【０００８】
上記の従来の振動避け構造の欠点について、本発明による改良の趨向はそのエア室（１１）の数量を上げることを目標としており（特に圧力受けが大きい部位）、改良に効果があるが、本発明の発明者はこれに制限されずに再考し、大幅に振動避け構造の振動避け効果を上げるように、何回も研究開発、試作した後に、やっと一種のプラスチック成型体の振動避け構造を作り出した。
【０００９】
本発明の主な目的は、硬質で剛性がある弾力性プラスチック螺旋体のサイドに軟質の弾力性プラスチック螺旋曲がり管を繋げて成型し、その弾力性プラスチック螺旋体の圧力耐え剛性、逆向き弾力性、及びその弾力性プラスチック螺旋曲がり管の振動吸収効果、緩衝効果によって、固定して一体となったプラスチック成型体の振動避け構造は、完全に各種の特性を得ることができて本発明をより良い弾力性回復及び応力平衡作業ができるようにする、一種のプラスチック成型体の振動避け構造を提供することにある。
【００１０】
本発明の次の目的は、硬質で剛性がある弾力性プラスチック螺旋体のサイドに軟質の弾力性プラスチック螺旋曲がり管を繋げて成型し、その軟質の弾力性プラスチック螺旋曲がり管によって有効に応力を維持でき、硬質弾力性プラスチック螺旋体を保護し、硬質弾力性プラスチック螺旋体の破れ防止、振動吸収及び過度の曲がりによる位置ずれ防止等の効果を達成する、一種のプラスチック成型体の振動避け構造を提供することにある。
【発明を実施するための最良の形態】
【００１１】
本発明が上記の目的に達成するために使う技術、手段及び他の効果については、実施例をあげて図と共に説明することにより、本発明の目的、特徴と他の効果をより確実に理解されるはずである。先ず、図２，３，４を参照ください。本発明は、弾力性プラスチック螺旋体（２０）及び弾力性プラスチック螺旋曲がり管（３０）の二つの部材からなって、その弾力性プラスチック螺旋体（２０）及び弾力性プラスチック螺旋曲がり管（３０）を運動靴の底（４０）内に配設できる（例えば図４）。本実施例のプラスチック成型体の振動避け構造は、射出成型法（または再移植成型法）で製造されるものであるので、その弾力性プラスチック螺旋体（２０）とその弾力性プラスチック螺旋曲がり管（３０）との繋がり部位は固定して一体となる。
【００１２】
前記弾力性プラスチック螺旋体（２０）は、硬質の弾力性プラスチックを使って成型し、巻数の多い螺旋バネという形にし、その上端面（２１）と下端面（２２）は平面にし、またその弾力性プラスチック螺旋体（２０）は巻ごとの間に一定の緩衝距離（２３）を設ける。
【００１３】
前記弾力性プラスチック螺旋曲がり管（３０）は、軟質の弾力性プラスチック成型管状体を使って、弾力性プラスチック螺旋曲がり管（３０）は弾力性プラスチック螺旋体（２０）に対応して曲がった多層の円弧部（３１）を有する。各円弧部（３１）は、螺旋形態で繋がってその上端面（３２）及び下端面（３３）も平面とし、そして弾力性プラスチック螺旋曲がり管（３０）は、その弾力性プラスチック螺旋体（２０）内に固定して繋がり、また円弧部（３１）はその弾力性プラスチック螺旋体（２０）の内側に対応して覆われる他に、弾力性プラスチック螺旋体（２０）の緩衝距離内に曲がったり伸びたりしながらストップするものである。上記は、本発明における各関連素子の相互関連位置及びその関連構造の概論である。
【００１４】
より詳しく本発明の作動と効果を説明するために、本発明の運動靴の底（４０）の上により平均的な応力によって圧せられると、その弾力性プラスチック螺旋体（２０）の上端面（２１）とその弾力性プラスチック螺旋曲がり管（３０）の上端面（３２）は同時に応力を受け、そしてその弾力性プラスチック螺旋体（２０）の緩衝距離（２３）で十分な変形圧縮空間を提供する。また、その弾力性プラスチック螺旋体（２０）の巻数の多い螺旋バネ形態を利用して弾力性を回復し、弾力性プラスチック螺旋曲がり管（３０）の多層の円弧部（３１）も同時に回復弾力性を発揮しているので、本発明は変形空間及び二重の回復弾力性を有することとなる。これにより、より良い弾力性回復と圧力吸収効果を確実に得られる。また、本発明の弾力性プラスチック螺旋体（２０）と弾力性プラスチック螺旋曲がり管（３０）は、密封する必要がないため本発明の耐用度はより優れている。
【００１５】
また図５によれば、運動靴の底（４０）が平均でない圧力を受けた時に、その弾力性プラスチック螺旋体（２０）とその弾力性プラスチック螺旋曲がり管（３０）は同時に偏向した応力を受け、この時、弾力性プラスチック螺旋体（２０）の一側の緩衝距離（２３）が圧力を受けて短くなって、もう一側は長くなるが、その弾力性プラスチック螺旋曲がり管（３０）の多層円弧部（３１）も緩衝距離（２３）につれて一側が変形して短くなり、もう一側が変形して長くなる。圧される側の弾力性プラスチック螺旋体（２０）と弾力性プラスチック螺旋曲がり管（３０）は、一緒に圧力を受けるほかにもう一側の弾力性プラスチック螺旋曲がり管（３０）の円弧部（３１）は、弾力性プラスチック螺旋体（２０）と合わせて支えの引っ張りが発生して圧力を受ける方の応力が分散して軽くなる。これによって、軟質弾力性プラスチック螺旋曲がり管（３０）は有効に応力を平衡させることができ、硬質弾力性プラスチック螺旋体（２０）を保護できる外に、円弧部（３１）は、弾力性プラスチック螺旋体（２０）と帯同して偏圧を分散させる応力平衡効果を発揮して硬質弾力性プラスチック螺旋体（２０）の破れ、位置ずれを防止して振動吸収を補助する多重予期効果がある。
【００１６】
さらに、弾力性プラスチック螺旋曲がり管（３０）をその弾力性プラスチック螺旋体（２０）の外に固定して繋げることができる。この場合、円弧部（３１）は、弾力性プラスチック螺旋体（２０）の外側に対応して覆われる。それに本発明の予期効果に影響しない。またこの他に、本発明の弾力性プラスチック螺旋体および弾力性プラスチック螺旋曲がり管の上端面、下端面は、支えられる部材（例えば靴の底）に合わせて相対する曲面とすることもできる。故に、上記の各実施例もこの本発明の範囲内に属する。
【図面の簡単な説明】
【００１７】
【図１】従来のプラスチック成型体の振動避け構造の断面概略図である。
【図２】本発明に係るプラスチック成型体の振動避け構造の立体断面図である。
【図３】本発明に係るプラスチック成型体の振動避け構造の外観サイド図である。
【図４】本発明に係るプラスチック成型体の振動避け構造の実施例図である。
【図５】本発明に係るプラスチック成型体の振動避け構造の実施例の偏圧受け状態図である。
【符号の説明】
【００１８】
１０      靴の底
１１      気室
１２      ゴム棒
２０      弾力性プラスチック螺旋体
２１      上端面
２２      下端面
２３      緩衝距離
３０      弾力性プラスチック螺旋曲がり管
３１      円弧部
３２      上端面
３３      下端面
４０      靴の底
【図１】
2004169909.tif 000003
【図２】
2004169909.tif 000004
【図３】
2004169909.tif 000005
【図４】
2004169909.tif 000006
【図５】
2004169909.tif 000007